(57)【要約】【課題】本発明は発信メロディーシステムに関し、特に予め指定した音源を使用して発信メロディーを携帯電話から流すことによりエンターテイメント性のあるシステムとするものである。【解決手段】本発明は予めユーザによって登録された電話帳に基づく電話番号毎の音源情報に基づいて、対応する発信者から電話が掛かってきた場合、当該発信者に対して予め登録した発信メロディーを送信し、呼出し中当該発信メロディーを流す構成であり、このように構成することにより電話を掛ける際のエンターテイメント性を向上するものである。【選択図】      図１
2004200731.tif 000002
【特許請求の範囲】
【請求項１】
センタサーバと携帯端末がネットワークを介して接続された発信メロディーシステムにおいて、
予めユーザの電話番号と、該ユーザの発信者情報と、音源情報を記憶する記憶手段と、
前記発信者から前記ユーザに対して電話を掛ける際、前記音源情報に基づく発信メロディーを送信する送信手段と、
該送信手段によって送信された発信メロディーを前記端末機器から出力する出力手段と、
を有することを特徴とする発信メロディーシステム。
【請求項２】
前記記憶手段は、ユーザの電話番号及びユーザ名を登録する第１の記憶手段と、前記ユーザ名に対応する発信者の電話番号を記憶する第２の記憶手段と、前記発信者に対応する音源情報を記憶する第３の記憶手段とから成ることを特徴とする請求項１記載の発信メロディーシステム。
【請求項３】
前記第１の記憶手段には電話帳リンクコードが記録され、該電話帳リンクコードは前記第２の記憶手段の検索に使用されることを特徴とする請求項２記載の発信メロディーシステム。
【請求項４】
前記第２の記憶手段には音源情報にリンクするコードが記録され、該コードは前記第３の記憶手段の検索に使用されることを特徴とする請求項２記載の発信メロディーシステム。
【請求項５】
前記発信者情報は、前記ユーザの電話帳に基づいて作成されることを特徴とする請求項１記載の発信メロディーシステム。
【請求項６】
前記音源情報は、時間要素によって設定されることを特徴とする請求項１、又は４記載の発信メロディーシステム。
【請求項７】
前記時間要素は、少なくとも時間帯、月日、特定日を含むことを特徴とする請求項６記載の発信メロディーシステム。
【請求項８】
前記音源情報は、地域要素によって設定されることを特徴とする請求項１、又は４記載の発信メロディーシステム。
【請求項９】
前記地域要素は、少なくとも地域、場所、施設を含むことを特徴とする請求項８記載の発信メロディーシステム。
【請求項１０】
前記音源情報は、発信者要素によってグループ別に設定されることを特徴とする請求項１、又は４記載の発信メロディーシステム。
【請求項１１】
複数の音源プロバイダが参画し、前記音源情報の設定は該音源プロバイダを選択して行うことを特徴とする請求項１、又は４記載の発信メロディーシステム。
【請求項１２】
前記音源情報は音楽に限らず各種情報が含まれることを特徴とする請求項１記載の発信メロディーシステム。
【請求項１３】
前記音源プロバイダは音楽の配信のみならず、各種情報の配信を行うにプロバイダが含まれることを特徴とする請求項１１，又は１２記載の発信メロディーシステム。
【請求項１４】
ネットワークを介して端末機器に接続されたセンタサーバであって、
該センタサーバは、予めユーザの電話番号と、該ユーザの発信者情報と、音源情報を記憶する記憶手段と、
前記発信者から前記ユーザに対して電話を掛ける際、前記音源情報に基づく発信メロディーを送信する送信手段と、
を有することを特徴とするセンタサーバ。
【請求項１５】
前記記憶手段は、ユーザの電話番号及びユーザ名を登録する第１の記憶手段と、前記ユーザ名に対応する発信者の電話番号を記憶する第２の記憶手段と、前記発信者に対応する音源情報を記憶する第３の記憶手段とから成ることを特徴とする請求項１４記載のセンタサーバ。
【請求項１６】
ネットワークを介してセンタサーバに接続された端末機器であって、
該端末機器は、前記センタサーバから送信された発信メロディーを鳴らすことを特徴とする端末機器。
【請求項１７】
ネットワークを介して端末機器に接続されたセンタサーバであって、該センタサーバは予めユーザの電話番号と、該ユーザの発信者情報と、音源情報を記憶する記憶手段とを有し、
前記発信者から前記ユーザに対して電話を掛ける際、前記音源情報に基づく発信メロディーを送信することを特徴とするメロディー発信方法。
【請求項１８】
ネットワークを介して端末機器に接続されたセンタサーバに使用されるプログラムであって、
該センタサーバは予めユーザの電話番号と、該ユーザの発信者情報と、音源情報を記憶する処理と、
前記発信者から前記ユーザに対して電話を掛ける際、前記音源情報に基づく発信メロディーを送信する処理と、
を少なくとも含むことを特徴とするプログラム。
【発明の詳細な説明】
【０００１】
【発明の属する技術分野】
本発明は発信メロディーシステムに関する。
【０００２】
【従来の技術】
今日携帯電話が広く普及し、多くの人が携帯電話を使用している。通常、携帯電話を使用して電話を掛ける場合、先ず数字キーを押下して相手の電話番号を入力するか、又は電話帳から相手の電話番号を選択し、送信キーを押下する。上記処理により呼出音を発信して相手方が電話にでるのを待つ。一方、相手方の携帯電話には着信音が鳴る。
【０００３】
上記一連の操作において、呼出音は従来単純な連続音であり、何らのエンターテイメント性もなく、面白みのない音である。尚、呼出音はインターネット電話において、ＩＰ接続の端緒として使用される場合もある（例えば、特許文献１）。
【０００４】
【特許文献１】
特開２００２−２９１０４６公報
【０００５】
【発明が解決しようとする課題】
そこで、本発明は予め指定した音源を使用して発信メロディーを発信者の電話から流すことによりエンターテイメント性の向上を図る。
【０００６】
【課題を解決するための手段】
上記課題は請求項１記載の発明によれば、センタサーバと携帯端末がネットワークを介して接続された発信メロディーシステムにおいて、予めユーザの電話番号と、該ユーザの発信者情報と、音源情報を記憶する記憶手段と、前記発信者から前記ユーザに対して電話を掛ける際、前記音源情報に基づく発信メロディーを送信する送信手段と、該送信手段によって送信された発信メロディーを前記端末機器から出力する出力手段とを有する発信メロディーシステムを提供することによって達成できる。
【０００７】
このように構成することにより、発信者の携帯端末には、ユーザが予め登録した音源に基づく発信メロディーが流れ、エンターテイメント性が向上する。
請求項２の記載は、上記請求項１記載の発明において、前記記憶手段は、例えばユーザの電話番号及びユーザ名を登録する第１の記憶手段と、前記ユーザ名に対応する発信者の電話番号を記憶する第２の記憶手段と、前記発信者に対応する音源情報を記憶する第３の記憶手段とから成る。
【０００８】
このように構成することにより、記憶手段を効率よく構築することができ、より効率よくシステムを運営することができる。
請求項３の記載は、上記請求項２の記載において、前記第１の記憶手段には電話帳リンクコードが記録され、該電話帳リンクコードは前記第２の記憶手段の検索に使用される構成である。
【０００９】
このように構成することにより、第１の記憶手段と第２の記憶手段間の関連を構築することができる。
請求項４の記載は、上記請求項２の記載において、前記第２の記憶手段には音源情報にリンクするコードが記録され、該コードは前記第３の記憶手段の検索に使用される構成である。
【００１０】
このように構成することにより、第２の記憶手段と第３の記憶手段間の関連を構築することができる。
請求項５の記載は、上記請求項１記載の発明において、前記発信者情報は、前記ユーザの電話帳に基づいて作成される構成である。
【００１１】
このように構成することにより、発信者情報を効率良く作成することができる。
請求項６の記載は、上記請求項１記載の発明において、前記音源情報は、時間要素によって設定される。
【００１２】
ここで、上記時間要素とは、例えば請求項７に記載するように、時間帯、月日、特定日であり、上記時間要素に基づいてユーザが設定する。
このように構成することにより、例えば昼間の時間帯にはスポーティーで明るく軽快な音楽を設定し、夜の時間帯にはリラックスでき優しい音楽を設定でき、より適切な音源設定を行うことができる。
【００１３】
請求項８の記載は、上記請求項１記載の発明において、前記音源情報は、地域要素によって設定される。
ここで、上記地域要素とは、例えば請求項９に記載するように、地域、場所、施設であり、上記地域要素に基づいてユーザが設定する。
【００１４】
このように構成することにより、例えば営業オフィースからの発信であれば軽快な音楽を設定し、病院や図書館等の施設からの発信であれば落着いた静かな音楽を設定し、状況に対応した音源設定を行うことができる。
【００１５】
請求項１０の記載は、上記請求項１記載の発明において、前記音源情報は、例えば発信者要素によってグループ別に設定される。
例えば、グループとして趣味の仲間、仕事の仲間等に分け、当該グループに合った音源を設定できる。
【００１６】
請求項１１の記載は、上記請求項１記載の発明において、例えば複数の音源プロバイダが参画し、前記音源情報の設定は該音源プロバイダを選択して行う構成である。
【００１７】
このように構成することにより、ユーザの音源選択の幅が増し、より適切な音源選択を行うことができる。
また、上記音源情報は、請求項１２に記載するように、音楽に限らず各種情報が含まれる。例えば、広告やメッセージ、会議の状況案内等の情報であり、上記特定のグループにメッセージを送る場合などに有効な手段となる。
【００１８】
したがって、上記請求項１３に記載するように、例えば前記音源プロバイダには音楽の配信のみならず、上記各種情報の配信を行うプロバイダが含まれ、ユーザは多くの音源プロバイダの中から適切なプロバイダを選択して音源の設定を行うことができる。
【００１９】
上記課題は請求項１４記載の発明によれば、ネットワークを介して端末機器に接続されたセンタサーバであって、該センタサーバは、予めユーザの電話番号と、該ユーザの発信者情報と、音源情報を記憶する記憶手段と、前記発信者から前記ユーザに対して電話を掛ける際、前記音源情報に基づく発信メロディーを送信する送信手段とを有するセンタサーバを提供することによって達成できる。
【００２０】
このように構成することによっても、発信者の携帯端末には、ユーザが予め登録した音源に基づく発信メロディーが流れ、エンターテイメント性を向上することができる。
【００２１】
請求項１５の記載は、上記請求項１４記載の発明において、前記記憶手段は、例えばユーザの電話番号及びユーザ名を登録する第１の記憶手段と、前記ユーザ名に対応する発信者の電話番号を記憶する第２の記憶手段と、前記発信者に対応する音源情報を記憶する第３の記憶手段とから成る。
【００２２】
このように構成することによっても、記憶手段を効率よく構築することができ、より効率よくシステムを運営することができる。
請求項１６の記載は、上記請求項１４記載の発明において、ネットワークを介してセンタサーバに接続された端末機器であって、該端末機器は、前記センタサーバから送信された発信メロディーを鳴らす構成である。
【００２３】
このように構成することにより、端末機器に予め登録した発信メロディーを流すことができる。
上記課題は請求項１７記載の発明によれば、ネットワークを介して端末機器に接続されたセンタサーバであって、該センタサーバは予めユーザの電話番号と、該ユーザの発信者情報と、音源情報を記憶する記憶手段とを有し、前記発信者から前記ユーザに対して電話を掛ける際、前記音源情報に基づく発信メロディーを送信するとするメロディー発信方法を提供することによって達成できる。
【００２４】
本発明は方法の発明であり、このように構成することによっても、発信者の携帯端末には、ユーザが予め登録した音源に基づく発信メロディーが流れ、エンターテイメント性を向上することができる。
【００２５】
上記課題は請求項１８記載の発明によれば、ネットワークを介して端末機器に接続されたセンタサーバに使用されるプログラムであって、該センタサーバは予めユーザの電話番号と、該ユーザの発信者情報と、音源情報を記憶する処理と、前記発信者から前記ユーザに対して電話を掛ける際、前記音源情報に基づく発信メロディーを送信する処理とを少なくとも含むプログラムを提供することによって達成できる。
【００２６】
本発明はプログラムの発明であり、このように構成することによっても、発信者の携帯端末には、ユーザが予め登録した音源に基づく発信メロディーが流れ、エンターテイメント性を向上することができる。
【００２７】
【発明の実施の形態】
以下、本発明の実施の形態を図面を参照しながら説明する。
＜第１の実施形態＞
図１は、本実施形態を説明する発信メロディーシステムのシステム構成図である。同図において、１は本システムの要となるセンタサーバであり、電話事業者の管理センタやデータセンタ等に設置されている。また、端末機器である携帯電話２ａ、２ｂ、２ｃ、・・・は、有線及び無線で構成されるネットワークを介してセンタサーバ１に接続される。
【００２８】
図２は上記システム構成をより詳細に説明する図である。同図において、加入者１２は本システムの加入者であり、上記携帯電話を保有する。また、発信者１３は上記加入者１２の携帯電話に電話を掛ける者であり、例えば後述するように予め電話番号がセンタサーバ１に登録されている。
【００２９】
交換機１４は電話回線の制御を行い、音源再生装置１５は後述する設定に基づいて指定された音源を再生し、交換機１４を介して発信者１３の携帯電話に送信する。また、音源再生装置１５は音源データ保存装置１６に接続され、音源データ保存装置１６から音源情報を取得する。
【００３０】
加入者用情報管理装置１７は上記加入者１２による設定受付を行う装置であり、加入者情報の入力、電話帳リストに基づくデータベースの構築の際のインターフェイスである。尚、携帯電話以外にも後述するパーソナルコンピュータ（ＰＣ）等を用いたシステムにおいても同様に機能する。
【００３１】
加入者情報処理・記憶装置１８は後述するＣＰＵ、及び記憶装置の機能を有し、加入者情報の記憶を行い、必要な情報の管理及び処理を行う。また、例えば加入者１２電話帳リストに基づいて発信者情報を作成し、当該情報を記憶し、管理及び処理を行う。
【００３２】
また、加入者情報処理・記憶装置１８は時間要素によって設定する音源情報を管理し、例えば時間帯、月日、特定日毎に設定された音源情報を管理する。また、地域要素によって設定する音源情報を管理し、例えば地域、場所、施設毎に設定された音源情報を管理する。さらに、加入者情報処理・記憶装置１８は発信者毎にグループ分けされた音源情報の管理も行う。
【００３３】
音源情報処理・記憶装置１９は、後述するようにリンクコード等を使用し、音源データと音源情報を結びつけ、加入者１２が指定する発信者別の音源情報を管理する。
【００３４】
ＣＰ（コンテンツプロバイダ）用情報管理装置２０は、予め設定された複数の異なるＣＰ（コンテンツプロバイダ）が本システムを通じて音源情報や音源データの制御を可能とする装置である。
【００３５】
例えば、ＣＰ（コンテンツプロバイダ）用情報管理装置２０は、ＣＰ（コンテンツプロバイダ）用の受付装置として機能し、音源データと音源情報を登録することによって自動的に本システムに登録することができる。
【００３６】
図３は上記センタサーバ１に構築されるサーバシステムの模式図である。同図において、センタサーバ１は、ＣＰＵ３、ＲＯＭ４、ＲＡＭ５等で構成され、ＣＰＵ３はＲＯＭ４に登録されたシステムプログラムに従って処理を行い、必要に応じてセンタサーバ１に接続された記憶装置６〜８にアクセスする。
【００３７】
また、ディスプレイ９には必要な情報が表示され、通信回線を介して情報の授受が行われる。尚、本例のシステム制御はＲＯＭ４に記憶したプログラムに従って実行されるが、同図に示すようにセンタサーバ１に配設されたメディアドライバ１０にＣＤ−ＲＯＭ、フレキシブルディスク、ＭＯ等の記録媒体１１を装着し、この記録媒体１１から上記プログラムを読み込み出して使用する構成としてもよい。
【００３８】
図４は記憶装置６に構築されたデータベースの例であり、ユーザ情報が登録されている。このユーザ情報は、同図に示すように「ユーザコード」、「ユーザ名」、「電話番号」、及び「電話帳リンクコード」である。例えば、「ユーザコード」“０００１”には「ユーザ名」“〇〇〇”が登録され、「電話番号」のエリアには“０９０−１２３４−５６７８”の電話番号が登録され、「電話帳リンクコード」には対応するユーザの電話帳にリンクする為のコード“ａａａ”が登録されている。
【００３９】
また、「ユーザコード」“０００２”には「ユーザ名」“△△△”が登録され、「電話番号」のエリアには“０９０−９０１２−３４５６”の電話番号が登録され、「電話帳リンクコード」には対応するユーザの電話帳にリンクする為のコード“ｂｂｂ”が登録されている。さらに、同図に示すように多くのユーザ情報が予め登録されている。
【００４０】
図５は記憶装置７に構築されたデータベースの例であり、発信先データベースが構築されている。この発信先データベースは上記ユーザ情報に登録されたユーザの電話帳に対応したものであり、ユーザに対応して構築されている。例えば、「電話帳リンクコード」として、“ａａａ”の場合、ユーザ“○○○”の電話帳に対応する発信先データが登録され、例えば“アベマサオ”、“アンザイテルアキ”等の発信先データが構築されている。また、それぞれの発信先に対応する音源情報も登録されている。例えば、発信先が“アベマサオ”の場合、電話番号が“０９０−１２３４−９８７６”であり、音源情報として“Ａ”が登録されている。また、発信先が“アンザイテルアキ”の場合、電話番号が“０３−１２３３−４５６７”であり、音源情報として“Ｂ”が登録されている。以下、同図に示すように多くの発信先情報が登録されている。
【００４１】
また、同様にして「電話帳リンクコード」、“ｂｂｂ”の場合、ユーザ“△△△”の電話帳に対応する発信先データが登録され、例えば“アキヤマ・・・”、“アキタ・・・”等の発信先データが構築され、それぞれの発信先に対応する音源情報が登録されている。さらに、「電話帳リンクコード」、“ｃｃｃ”以降についても同様に発信先の氏名と電話番号、及び音源情報が予め登録されている。
【００４２】
一方、図６は記憶装置８に構築されたデータベースの例であり、音源情報のデータベースである。例えば、音源情報として「Ａ」は、ある歌謡曲のメロディーが登録され、音源情報「Ｂ」には、有名な歌手の歌う曲のメロディーが登録され、音源情報「Ｃ」には、有名なアニメの主題歌のメロディーが登録されている。音源情報「Ｄ」以降についても同様に各種メロディーの音源が登録されている。
【００４３】
以上の構成において、以下に本例の処理動作について説明する。
尚、センタサーバ１の記憶装置６〜８には予め前述のデータベースが構築されているものとする。また、このデータベースの構築は、例えばユーザが所有する端末機器（携帯電話）から登録を行い、記憶装置６〜８に必要な情報が記録されている。
【００４４】
図６は本例の処理を説明するフローチャートであり、本発明の発信メロディーシステムを使用する処理を説明するものである。
先ず、携帯電話への発信が有るか判断する（ステップ（以下、ＳＴで示す）１）。例えば、ある携帯電話（例えば、携帯電話２ｆ）から携帯電話（例えば、携帯電話２ａ）に電話を掛けると、この情報はセンタサーバ１で認識され、判断（ＳＴ１）はＹＥＳとなる。
【００４５】
次に、着信者側の携帯電話の保有者がユーザ登録を行った者であるか判断する（ＳＴ２）。この判断は、前述の記憶装置６に登録されたユーザの電話番号を参照して行う。ここで、ユーザ登録を行っていない者が所有する携帯電話へのアクセスである場合（ＳＴ２がＮＯ）、通常の処理を行う。一方、ユーザ登録を行ったユーザ所有の携帯電話へのアクセスである場合（ＳＴ２がＹＥＳ）、図３に示すデータベースの対応する「電話帳リンクコード」を読み出し、電話番号を検索する（ＳＴ３）。
【００４６】
例えば、ユーザ“○○○”への電話である場合、図３に示すデータベースから対応する「電話帳リンクコード」“ａａａ”を読み出し、図４に示す電話帳（発信者名）の電話番号を検索する。ここで、例えば発信者の電話番号が“０９０−１２３４−９８７６”である場合、発信者は“アベマサオ”であると判断できる。従ってこの場合、図４に示すデータベースから音源情報「Ａ」が検索され、図５に示すデータベースから音源情報「Ａ」が読み出される（ＳＴ４）。一方、発信者の電話番号が“０３−１２３３−４５６７”である場合、発信者は“アンザイテルアキ”であると判断でき、図４に示すデータベースから音源情報「Ｂ」が検索され、図５に示すデータベースから音源情報「Ｂ」が読み出される。
【００４７】
上記処理によって得られた音源情報は直ちに発信者側の携帯電話に送信され（ＳＴ５）、発信者の携帯電話に音源情報が送信される。
発信者側の携帯電話では、音源情報を受信すると当該発信メロディーを鳴らし、ユーザの携帯電話２ａの呼出し中、上記発信メロディーを鳴らし続ける（ＳＴ７）。
【００４８】
例えば、発信者が“アベマサオ”である場合、当該発信者の携帯電話（例えば、携帯電話２ｆ）には音源情報「Ａ」の発信メロディーが送信され、ユーザ“○○○”の携帯電話（例えば、携帯電話２ａ）を呼び出す間、この発信メロディーが流れ続ける。一方、発信者が“アンザイテルアキ”である場合、当該発信者の携帯電話（例えば、携帯電話２ｅ）には音源情報「Ｂ」の発信メロディーが送信され、ユーザ“○○○”の携帯電話（例えば、携帯電話２ａ）を呼び出す間、この発信メロディーが流れ続ける。
【００４９】
以上のように、本例によれば予め本システムにユーザ登録を行ったユーザが所有する携帯電話に電話を掛ける際、発信者には予め登録した発信メロディーを流すことができ、従来のシステムに比べてエンターテイメント性を向上することができる。
【００５０】
また、ユーザは予め発信者毎に発信メロディーを登録するので、発信者の個性や趣味等を考慮して発信メロディーを設定することができ、より優れたシステムにすることができる。
【００５１】
次に、時間要素、地域要素、グループ分けに基づいて本発明を適用する場合について説明する。
図８はこの場合のデータベースの構成例を示す。ここで、同図（ａ）は時間要素に基づくデータベースであり、例えば「時間帯」として９：００〜１７：００や、１７：００〜２２：００が登録され、対応する音源データ“Ｈ”や“Ｍ”が設定されている。また、同図（ｂ）は地域要素に基づくデータベースであり、例えば「場所」として営業オフィースや、自宅が登録され、対応する音源データ“Ｎ”や“Ｔ”が設定されている。さらに、同図（ｃ）はグループ要素に基づくデータベースであり、趣味仲間や仕事仲間に基づいてＩ、ＩＩ等のグループ分けされ、対応する音源データ“Ｓ”や“Ｘ”が設定されている。
【００５２】
このように構成することにより、例えば同図（ａ）に示す時間帯９：００〜１７：００に対応する音源データ“Ｈ”として、スポーティーで明るく軽快な音楽を設定し、又は「今日も良い一日であります様に・・・」等のメッセージを設定しておくことによって時間帯に適切な発信音を発信者１３に提供することができる。また、同図（ｂ）に示すように場所が営業オフィースである場合、対応する音源データ“Ｎ”として軽快な音楽を設定し、又は会議情報等を設定しておくことによって発信者１３によって有効な情報となる。
【００５３】
さらに、同図（ｃ）に示すように趣味仲間のグループＩの場合、対応する音源データ“Ｓ”として集会情報やメッセージを設定しておくことによって発信者１３によって有効な情報となる。
【００５４】
以上のように、「時間帯」、「場所」、「グループ」等のよって音源データを登録することで、更に利便性のある発信メロディーシステムとすることができる。
【００５５】
尚、上記本実施形態の説明ではセンタサーバ１に接続される電話を携帯電話で説明したが、必ずしも携帯電話に限るものではない。例えば、図９に示すパーソナルコンピュータＰＣも含めたシステムとすることによって、前述の加入者用情報管理装置１７は以下のように機能する。
【００５６】
例えば、携帯電話の場合、ブラウザやＪＡＶＡ（Ｒ）、Ｃ＋＋等のソフトウエアを使用する際の画面制御、音源再生制御のインターフェイスとして機能し、パーソナルコンピュータＰＣの場合、インターネット経由でＰＣ用のブラウザやＪＡＶＡ（Ｒ）、Ｃ＋＋等のソフトウエアを使用する際の画面制御、音源再生制御のインターフェイスとして機能する。さらに、電話を掛け、ＩＶＲによる音声ガイダンスに従った処理の場合、音声応答装置への通知、音声案内、音源再生、トーン信号の選択等におけるインターフェイスとして機能する。
【００５７】
（付記１）
センタサーバと情報機器がネットワークを介して接続された発信メロディーシステムにおいて、
予めユーザの電話番号と、該ユーザの発信者情報と、音源情報を記憶する記憶手段と、
前記発信者から前記ユーザに対して電話を掛ける際、前記音源情報に基づく発信メロディーを送信する送信手段と、
該送信手段によって送信された発信メロディーを前記端末機器から出力する出力手段と、
を有することを特徴とする発信メロディーシステム。
【００５８】
（付記２）
前記情報機器は、携帯電話及びパーソナルコンピュータであることを特徴とする発信メロディーシステム。
【００５９】
【発明の効果】
以上説明したように、本発明によれば発信者には予め登録した発信メロディーを流すことができ、エンターテイメント性を向上することができる。
【００６０】
また、ユーザは予め発信者毎に発信メロディーを登録できるので、発信者の個性や趣味等を考慮して発信メロディーを設定することができる。
また、時間要素や地域要素、グループ別等によって音源データを設定することによって、より利便性のあるシステムとすることができる。
【００６１】
さらに、音楽以外の音源データを使用し、多数のプロバイダから音源データを選択できる構成であり、有効な情報を発信者に提供することもできる。
【図面の簡単な説明】
【図１】本実施形態を説明する発信メロディーシステムのシステム構成図である。
【図２】本システムをより詳細に示すシステム図である。
【図３】センタサーバに構築されるサーバシステムの模式図である。
【図４】記憶装置に構築されたデータベースの例であり、ユーザ情報が登録された例を説明する図である。
【図５】記憶装置に構築されたデータベースの例であり、発信先データベースが構築された例を説明する図である。
【図６】記憶装置に構築されたデータベースの例であり、音源情報のデータベースが登録された例を説明する図である。
【図７】本実施形態の処理動作を説明するフローチャートである。
【図８】本発明の他の例を説明するデータベース構成である。
【図９】本実施形態の変形例を説明するシステム図である。
【符号の説明】
１  センタサーバ
２ａ、２ｂ、２ｃ、・・・  携帯電話
３  ＣＰＵ
４  ＲＯＭ
５  ＲＡＭ
６〜８  記憶装置
９  ディスプレイ
１０  メディアドライバ
１１  記録媒体
１２  加入者
１３  発信者
１４  交換機
１５  音源再生装置
１６  音源データ保存装置
１７  加入者用情報管理装置
１８  加入者情報処理・記憶装置
１９  音源情報処理・記憶装置
２０  ＣＰ（コンテンツプロバイダ）用情報管理装置
【図１】
2004200731.tif 000003
【図２】
2004200731.tif 000004
【図３】
2004200731.tif 000005
【図４】
2004200731.tif 000006
【図５】
2004200731.tif 000007
【図６】
2004200731.tif 000008
【図７】
2004200731.tif 000009
【図８】
2004200731.tif 000010
【図９】
2004200731.tif 000011